(57)【要約】【課題】  ユーザが表示画面の表示を見ている状況に応じて表示制御を行う。【解決手段】  携帯電話機は、画像を表示する前側表示部１８と、被写体の撮影を行う前側撮影部２０と、前側表示部１８の表示を制御する制御部２３を備える。前側表示部１８の表示方向と前側撮影部２０の撮影方向とは同じ方向である。制御部２３は、前側撮影部２０が、前側表示部１８の表示方向と同じ方向を撮影して取得した撮影画像に基づいて、前側表示部１８の表示を制御する。【選択図】  図１
2006215116.tif 000002
【特許請求の範囲】
【請求項１】
被写体の撮影を行う撮影手段と、
画像を表示する表示手段と、
該表示手段の表示を制御する表示制御手段とを備えており、
該表示制御手段は、前記撮影手段が前記表示手段の表示方向を撮影することにより取得する撮影情報に基づいて、前記表示手段の表示を制御することを特徴とする撮影機能付表示装置。
【請求項２】
前記撮影情報は、撮影画像であることを特徴とする請求項１に記載の撮影機能付表示装置。
【請求項３】
前記撮影情報は、前記撮影画像から抽出した肌色領域の比率、位置、および個数の中の少なくとも１つであることを特徴とする請求項２に記載の撮影機能付表示装置。
【請求項４】
前記撮影情報は、前記撮影画像から抽出した顔画像領域の比率、位置、および個数の中の少なくとも１つであることを特徴とする請求項２または３に記載の撮影機能付表示装置。
【請求項５】
前記撮影情報は、被写体との距離を示す撮影距離であることを特徴とする請求項１ないし４の何れか１項に記載の撮影機能付表示装置。
【請求項６】
前記表示制御手段は、前記表示手段に文字情報を表示しているか否かと、前記撮影情報とに基づいて、前記表示手段の表示を制御することを特徴とする請求項１ないし５の何れか１項に記載の撮影機能付表示装置。
【請求項７】
前記表示手段は、表示の視野角を変更する機能を有しており、
前記表示制御手段は、前記撮影情報に基づいて、前記表示手段の視野角を制御することを特徴とする請求項１に記載の撮影機能付表示装置。
【請求項８】
前記表示制御手段は、前記視野角の情報を表示するように前記表示手段を制御することを特徴とする請求項７に記載の撮影機能付表示装置。
【請求項９】
ユーザの操作を受け付ける操作手段をさらに備えており、
前記表示制御手段は、前記操作手段が或る設定期間内に操作されない場合に、所定の表示制御を行っており、
前記撮影情報に基づいて、前記設定期間を変更する設定期間変更手段をさらに備えることを特徴とする請求項１に記載の撮影機能付表示装置。
【請求項１０】
ユーザの操作を受け付ける操作手段をさらに備えており、
前記表示制御手段は、前記操作手段が受け付けた所定の操作に基づいて前記表示手段の表示を制御することを特徴とする請求項１に記載の撮影機能付表示装置。
【請求項１１】
携帯型情報機器であることを特徴とする請求項１に記載の撮影機能付表示装置。
【請求項１２】
被写体の撮影を行う撮影手段と、画像を表示する表示手段とを備える撮影機能付表示装置の表示制御方法であって、
前記撮影手段が前記表示手段の表示方向を撮影することにより取得する撮影情報に基づいて、前記表示手段の表示を制御することを特徴とする撮影機能付表示装置の制御方法。
【請求項１３】
請求項１ないし１１の何れか１項に記載の撮影機能付表示装置における表示制御手段を動作させるための表示制御プログラムであって、コンピュータを前記撮影機能付表示装置として機能させるための表示制御プログラム。
【請求項１４】
請求項１３に記載の表示制御プログラムが記録されたコンピュータ読取り可能な記録媒体。
【発明の詳細な説明】
【技術分野】
【０００１】
本発明は、撮影機能を有する表示装置、該装置の表示制御方法、表示制御プログラム、および該プログラムを記録した記録媒体に関するものである。特に、本発明は、撮影機能を有する携帯型情報機器の表示制御に関するものである。
【背景技術】
【０００２】
従来から、携帯電話機、ＰＤＡ（Personal Digital Assistant）などの携帯型情報機器のディスプレイとして液晶ディスプレイ（ＬＣＤ）が広く利用されている。ＬＣＤは、ＣＲＴ（Cathode Ray Tube）、プラズマディスプレイなどに比べて、視野角が狭いことが欠点とされてきたが、近時のＬＣＤ技術の進歩により、視野角の広角化が進められている。
【０００３】
しかしながら、上記携帯型情報機器は、電車やバスの車内などにおいて混雑した状況で利用すると、上記携帯型情報機器の表示画面に表示された内容が周囲の人に覗き見される虞がある。特に、電子メールの作成および閲覧を行う場合には、その内容が周囲の人に覗き見されることはプライバシー上好ましくない。
【０００４】
この問題に対応して、視野角を制御できるＬＣＤが提案されている（例えば、特許文献１〜４参照）。これらのＬＣＤでは、通常の広視野角モードと、視野角の狭い狭視野角モードとの何れか一方から他方に切り替え可能となっている。なお、狭視野角モードとは、ユーザのいる表示画面真正面からは通常どおりの表示画像が視認でき、斜め方向からは無地画像または別の画像が見えるモードである。
【０００５】
例えば、特許文献１に記載の視野角可変素子は、一対の基板の間の液晶層が、基板に対して垂直方向に液晶分子が配向することで狭視野角となり、平行方向に配向することで広視野角となっている。また、特許文献２に記載の携帯端末装置は、２枚のガラス板の間の液晶の配向を変更することにより、情報表示手段の視野角を変更している。
【０００６】
さらに、表示装置をいくつかの区画に分け、それぞれの区画で液晶配向方向等を異ならせることで、狭視野角モードにおいて、正面以外の方向から表示画面を見た場合に、表示画面に表示されたものとは異なる別の画像が視認できるようにする構成のものもある。例えば、特許文献３には、液晶層を挟む配向膜が複数の領域に区画され、隣接する前記領域の配向方向が異なる液晶表示装置が記載されている。また、特許文献４には、視角方向が異なる第１の液晶セルと第２の液晶セルとを交互に配する液晶表示装置が記載されている。
【０００７】
さらに、特許文献２に記載の携帯端末装置は、実行中のアプリケーションの種類に応じて視野角を制御している。これにより、使用状況に応じて自動的に視野角を変更することができ、ユーザが視野角をいちいち決定する煩わしさを回避できる。
【特許文献１】特開平９−１０５９５８（公開日：１９９７年４月２２日）
【特許文献２】特開２００４−６２０９４（公開日：２００４年２月２６日）
【特許文献３】特開２００１−２６４７６８（公開日：２００１年９月２６日）
【特許文献４】特開２００４−３８０３５（公開日：２００４年２月５日）
【発明の開示】
【発明が解決しようとする課題】
【０００８】
しかしながら、同じアプリケーションの実行中であっても、画面を見る人の位置や人数に応じて、狭視野角および広視野角の何れが適しているかが変化することがあり、その度に狭視野角および広視野角の切替え操作を行うことはユーザにとって煩わしい。例えば、画像や電子メールの内容を１人で見る場合には狭視野角が望ましいが、複数人で見る場合には広視野角が望ましい。
【０００９】
また、通常の情報機器は、省電力や画面の焼付き防止の観点から、キーボード、マウスなどの操作デバイスからの操作が所定期間行われない場合に、ディスプレイへの給電を停止したり、スクリーンセーバを起動したり、ディスプレイがＬＣＤである場合にＬＣＤのバックライトが消灯したりしている。上記所定期間は、ユーザが画面を見ているときには長く、ユーザが画面を見ていないときには短いことが望ましい。しかし現状では、上記所定期間は、ユーザにより設定可能ではあるが一定である。このため、例えばメール画面を閲覧しているときにバックライトが消灯して見えなくなることが頻繁に起こり、ユーザに取って煩わしい。
【００１０】
本発明は、上記の問題点に鑑みてなされたものであり、その目的は、ユーザが表示画面の表示を見ている状況に応じて表示制御を行う撮影機能付表示装置などを提供することにある。
【課題を解決するための手段】
【００１１】
上記課題を解決するため、本発明に係る撮影機能付表示装置は、被写体の撮影を行う撮影手段と、画像を表示する表示手段と、該表示手段の表示を制御する表示制御手段とを備えており、該表示制御手段は、前記撮影手段が前記表示手段の表示方向を撮影することにより取得する撮影情報に基づいて、前記表示手段の表示を制御することを特徴としている。
【００１２】
上記の構成によると、撮影手段が表示手段の表示方向を撮影することにより取得する撮影情報に基づいて、表示手段の表示を制御している。ユーザが表示手段の表示を見るということは、ユーザが表示手段の表示方向に位置することになる。したがって、上記撮影情報には、ユーザが表示を見ている状況が含まれることになるから、該状況に応じて表示制御を自動的かつ適切に行うことができる。
【００１３】
なお、前記撮影情報の例としては、被写体が写っている撮影画像が挙げられる。この場合、撮影情報は、人を識別するため、撮影画像から抽出した肌色領域または顔画像領域であることが好ましい。さらに、撮影画像は、抽出した肌色領域または顔画像領域に関して、撮影画像に対する比率、位置、および個数の中の少なくとも１つであることが好ましい。
【００１４】
なお、本願では、特に明示しない限り、画像は、絵や図形だけでなく、文字や記号など、任意の表示情報を含むものとしている。
【００１５】
上記比率から、人と撮影手段（表示装置）との遠近を推定することができる。また、上記位置から、人が撮影手段の撮影方向に対して正面に位置するか、斜めに位置するかを推定することができる。また、上記個数から、人数を把握することができる。したがって、上記比率、位置、および個数から、撮影画像に含まれる人の状況をより詳細に把握できるので、ユーザの状況に応じてより詳細な表示制御を行うことができる。
【００１６】
なお、上述のように、撮影画像に対する肌色領域または顔画像領域の比率は、人と撮影手段（表示装置）との遠近を推定するものである。一方、現在市販されているカメラにはＡＦ（オートフォーカス）機能を有するものが多く、ＡＦ機能を利用して被写体との距離を示す撮影距離を検出することができる。そこで、撮影手段がＡＦ（オートフォーカス）機能を有する場合には、上記比率の代わりに、上記ＡＦ機能を利用して上記撮影距離を検出することもできる。
【００１７】
ところで、表示手段は文字情報を表示したり画像情報を表示したりするが、文字情報は、他人に見られたくないプライベートな情報であることが多い。そこで、前記表示制御手段は、前記表示手段に文字情報を表示しているか否かと、前記撮影情報とに基づいて、前記表示手段の表示を制御することが望ましい。この場合、ユーザの状況とプライバシーとに応じてより詳細な表示制御を行うことができる。なお、表示手段に文字情報を表示しているか否かを検出する代わりに、電子メールソフトウェアなどの文字情報を表示するアプリケーションプログラムが実行されているか否かを検出してもよい。
【００１８】
本発明に係る撮影機能付表示装置では、前記表示手段は、表示の視野角を変更する機能を有しており、前記表示制御手段は、前記撮影情報に基づいて、前記表示手段の視野角を制御することが好ましい。この場合、ユーザが表示画面の表示を見ている状況に応じて視野角を自動的に制御することができる。例えば、ユーザが表示画面を正面から見ている場合には、他人に表示画面を斜めから見られないようにするために、狭視野角とすることができる。また、ユーザが表示画面を斜めから見ている場合には、ユーザが表示画面をみることができるように広視野角とすることができる。なお、視野角は、実際の角度でもよいし、視野角が広い、狭いといった視野角の程度でもよい。
【００１９】
なお、前記表示制御手段は、前記視野角の情報を表示するように前記表示手段を制御することが望ましい。この場合、ユーザは、視野角が自動的に変化しても、表示手段の表示画面を見るのみで視野角を容易に判断することができる。また、視野角を表示するときの表示形態としては、文字列での表示、アイコンでの表示、表示画面の上端部、下端部、または隅部での表示、表示画面の中央部で他の画像と重畳して表示、動画表示など、任意の表示形態を選択できる。
【００２０】
また、本発明に係る撮影機能付表示装置では、ユーザの操作を受け付ける操作手段をさらに備えており、前記表示制御手段は、前記操作手段が或る設定期間内に操作されない場合に、所定の表示制御を行っており、前記撮影情報に基づいて、前記設定期間を変更する設定期間変更手段をさらに備えることが好ましい。
【００２１】
ここで、操作手段が或る設定期間内に操作されない場合に実行される所定の表示制御としては、スクリーンセーバの起動、表示の停止、表示手段がＬＣＤ（Liquid Crystal Display）である場合におけるＬＣＤのバックライトの消灯などが挙げられる。
【００２２】
上記の構成によると、ユーザが表示画面の表示を見ている状況に応じて上記設定期間を変更することができる。これにより、例えば、ユーザが表示画面を見ているときにスクリーンセーバが起動したり、バックライトが消えたりして、表示情報が見えなくなる煩わしさを回避することができる。
【００２３】
また、本発明に係る撮影機能付表示装置では、上記操作手段をさらに備えており、前記表示制御手段は、前記操作手段が受け付けた所定の操作に基づいて前記表示手段の表示を制御することが好ましい。この場合、ユーザの操作により表示手段の表示を制御できるので、ユーザが所望する表示制御を行うことができ、ユーザの利便性が向上する。
【００２４】
なお、上記撮影機能付表示装置は、特に、携帯型情報機器である場合には効果的である。
【００２５】
本発明に係る撮影機能付表示装置の表示制御方法は、被写体の撮影を行う撮影手段と、画像を表示する表示手段とを備える撮影機能付表示装置の表示制御方法であって、前記撮影手段が前記表示手段の表示方向を撮影することにより取得する撮影情報に基づいて、前記表示手段の表示を制御することを特徴としている。
【００２６】
上記の方法によると、撮影手段が表示手段の表示方向を撮影することにより取得する撮影情報に基づいて、表示手段の表示を制御している。ユーザが表示手段の表示を見るということは、ユーザが表示手段の表示方向に位置することになる。したがって、上記撮影情報には、ユーザが表示を見ている状況が含まれることになるから、該状況に応じて表示制御を自動的かつ適切に行うことができる。
【００２７】
なお、上記撮影機能付表示装置の表示制御手段を、表示制御プログラムによりコンピュータ上で実行させることができる。さらに、上記表示制御プログラムをコンピュータ読取り可能な記録媒体に記憶させることにより、任意のコンピュータ上で上記表示制御プログラムを実行させることができる。
【発明の効果】
【００２８】
以上のように、本発明に係る撮影機能付表示装置は、ユーザが表示を見ている状況が含まれる撮影情報に基づいて表示制御を行うことができる。
【発明を実施するための最良の形態】
【００２９】
〔実施の形態１〕
以下、本発明の一実施形態について図１ないし図１１を参照しつつ説明する。
【００３０】
図２は、本発明の一実施形態である携帯電話機（表示装置）１の外観を示している。本実施形態の携帯電話機１は、いわゆるクラムシェル型であり、同図に開いた状態で示されている。同図（ａ）は、携帯電話機１を閉じたときに内側となる部分を示しており、この部分は、携帯電話機１を開いたときにユーザが主に利用する側である。そこで、本願では同図（ａ）に示される側を前面側とする。また、同図（ｂ）は、携帯電話機１を閉じたときに外側となる部分を示しており、この部分は、携帯電話機１を開いたときに同図（ａ）の側と反対側となる。そこで、本願では同図（ｂ）に示される側を背面側とする。
【００３１】
図２に示されるように、携帯電話機１は、本体２と、蓋体３とからなり、本体２と蓋体３とはヒンジ状に連結している。蓋体３には、前面側に前側画面４が設けられ、背面側に後側画面５が設けられている。一般に、前側画面４は、ユーザが主として利用するメイン画面であり、画素数が多い。一方、後側画面５は、ユーザが補助的に利用するサブ画面であり、画素数が少ない。
【００３２】
本体２には、前面側にメイン操作ボタン群（操作手段）６が設けられている。メイン操作ボタン群６は、携帯電話機１における各種設定や機能切替を行うための機能ボタン群７と、数字や文字などの記号を入力するための入力ボタン群（入力手段）８とから構成されている。具体的には、機能ボタン群７は、携帯電話の電源のＯＮ／ＯＦＦを切替る電源ボタン、撮影モードを起動させるカメラボタン、メールモードを起動させるメールボタン、選択対象を上下左右方向に移動させるための十字ボタン、該十字ボタンの中央に配置されており種々の選択を決定する決定ボタンなどを含んでいる。また、入力ボタン群８は、テンキーである。
【００３３】
また、本体２または蓋体３（図示の場合では蓋体３）の前面側には、前側カメラ５３が設けられ、本体２または蓋体３（図示の場合では本体２）の背面側には、後側カメラ９が設けられている。一般に、後側カメラ９は、主にユーザ以外の被写体を撮影するメインカメラであり、画素数の多い撮像素子が利用されている。一方、前側カメラ５３は、主にユーザを撮影するサブカメラであり、画素数の少ない撮像素子が利用されている。なお、同図には示していないが、蓋体３内には無線通信用のアンテナが設けられている。
【００３４】
本実施形態の携帯電話機１は、前側画面４の視野角を制御して、広視野角モードおよび狭視野角モードの何れか一方から他方に切り替える機能を有する。この視野角モードの切替えは、ユーザが所定の操作ボタンを操作することにより実行できる。なお、視野角を変更する構造としては、種々のものが知られており、例えば上記特許文献１・３・４に記載されているので、その説明を省略する。
【００３５】
本実施形態では、前側カメラ５３が撮影した撮影画像に基づいて、上記視野角モードの切替えが自動的に実行される。前側画面４は前方に表示を行い、前側カメラ５３は前方に撮影を行う。従って、ユーザは、前側画面４の表示を見る場合には、前側カメラ５３により撮影されることになる。これにより、撮影画像に写ったユーザの状況に応じて上記視野角モードの切替えが自動的かつ適切に実行されることができる。
【００３６】
さらに、本実施形態の携帯電話機１は、図２に示されるように、視野角の状態を示す視野角情報６０を前側画面４に表示している。これにより、ユーザは、各種デバイスの使用状況に対応して視野角の状態が自動的に変化しても、前側画面４を正面から見るのみで視野角の状態を容易に判断することができる。なお、図示の例では、視野角情報６０は、前側画面４の上端中央部に表示しているが、その他、表示画面４の任意の位置に表示することができる。また、図示の例では、視野角情報６０は文字列で表現しているが、アイコンなどの図形で表現することもできる。
【００３７】
図３は、前側画面４に表示される撮影画像を複数人が見ることにより、前側画面４が自動的に広視野角モードとなった場合において、前側画面４の正面方向にいる人３１が見る画像と、前側画面４の斜め方向にいる人３２・３３が見る画像とを示している。また、図４は、前側画面４に表示される電子メールの作成画面をユーザが正面から見ることにより、前側画面４が自動的に狭視野角モードとなった場合において、前側画面４の正面方向にいる人３１が見る画像と、前側画面４の斜め方向にいる人３２・３３が見る画像とを示している。
【００３８】
図３に示されるように、広視野角モードでは、前側画面４を真正面から見た場合も（正面方位）、正面より前側画面４に向かって右側となる斜め前から見た場合も（右側面方位）、正面より前側画面４に向かって左側となる斜め前から見た場合も（左側面方位）、前側画面４の画像が視認される。このとき、前側画面４には、広視野角であることを示す視野角情報６０ｗが表示される。
【００３９】
一方、図４に示されるように、狭視野角モードでは、正面方位では前側画面４の画像が視認されるが、右側面方位あるいは左側面方位からは、黒い表示または別の画像が視認されるのみであり、前側画面４の画像が視認されない。このとき、前側画面４には、狭視野角であることを示す視野角情報６０ｎが表示される。
【００４０】
次に、携帯電話機１の詳細な構成について図１および図５に基づいて説明する。図５は、携帯電話機１の概略構成を示している。携帯電話機１は、アンテナ部１０、無線処理部１１、音声処理部１２、音声入力部１３、音声出力部１４、データ処理部１５、操作部１６、記憶部１７、前側表示部１８、後側表示部１９、前側撮影部２０、後側撮影部２１、電源部２２、および制御部２３を備える構成である。
【００４１】
アンテナ部１０は、電波を外部に送り出すとともに外部から電波を受け取るためのものである。具体的には、アンテナ部１０は、８００ＭＨｚ帯または１．５ＧＨｚ帯の携帯電話機用電波を送受するためのものである。
【００４２】
無線処理部１１は、音声処理部１２またはデータ処理部１５から受信したデータを無線送信に適した形式に変換し、変換した無線信号をアンテナ部１０を介して外部に送信するものである。また、無線処理部１１は、外部からアンテナ部１０を介して受信した無線信号を元の形式に変換し、変換したデータを音声処理部１２またはデータ処理部１５に送信するものである。具体的には、無線処理部１１では、チャネルコーデック処理、ベースバンド信号処理、データの変復調処理、ＲＦ（Radio Frequency）処理などが行われる。
【００４３】
音声処理部１２は、音声入力部１３からの音声信号を所定の音声データに変換して無線処理部１１に送信するとともに、無線処理部１１からの音声データを音声信号に変換して音声出力部１４に送信するものである。具体的には、音声処理部１２は、Ａ／Ｄ変換器、Ｄ／Ａ変換器、アンプ、音声コーデック回路を備える構成である。
【００４４】
音声入力部１３は、外部から入力された音波を、電気信号である音声信号に変換して音声処理部１２に送信するものである。具体的には、音声入力部１３はマイクロホンを備える構成である。
【００４５】
音声出力部１４は、音声処理部１２からの音声信号を音波に変換して外部に出力するものである。具体的には、音声出力部１４は、スピーカ、イヤホン、音声出力用コネクタなどを備える構成である。通常、携帯電話機１では、通話を行う場合にはイヤホンが利用され、着信の報知やテレビ電話を行う場合にはスピーカが利用される。また、音楽を聴く場合には、周囲の人々に配慮して、音声出力用コネクタにヘッドホンが接続される。
【００４６】
なお、電話機の場合、音声入力部１３に入力するユーザの音声が音声出力部１４から聞こえることが望ましい。このため、音声処理部１２は、音声入力部１３からの音声信号を所定の音量レベルに調整した後、音声出力部１４に送信することが望ましい。
【００４７】
データ処理部１５は、制御部２３からのデータを所定形式のデータに符号化して無線処理部１１に送信するとともに、無線処理部１１からのデータを復号化して制御部２３に送信するものである。データ処理部１５で行われるデータの符号化／復号化（コーデック）方式の例としては、ＭＰＥＧ（Moving Picture Experts Group）−４、およびＩＴＵ−Ｔ勧告Ｈ．２６３が挙げられる。
【００４８】
操作部１６は、携帯電話機１の表面に設けられたメイン操作ボタン群６などの入力デバイスをユーザが操作することにより、操作データを作成して制御部２３に送信するものである。入力デバイスとしては、ボタンスイッチの他にタッチパネルなどが挙げられる。また、操作部１６は、所定の操作ボタンをユーザが操作することにより、視野角の変更を指示する操作データを作成し、制御部２３に送信する。
【００４９】
記憶部１７は、各種データおよびプログラムを記憶するものである。記憶部１７の例としては、制御部２３が動作する際に必要なプログラム、通信制御データ等の固定データを記憶する読出し専用の半導体メモリであるＲＯＭ（Read Only Memory）と、バーコード認識や通信に関するデータ、演算に使用するデータ及び演算結果等を一時的に記憶するいわゆるワーキングメモリとしてのＲＡＭ（Random Access Memory）とが挙げられる。
【００５０】
前側表示部１８および後側表示部１９は、制御部２３から画像データを受信し、受信した画像データに基づいて画像を表示するものである。具体的には、前側表示部１８および後側表示部１９は、ＰＤＰ（Plasma Display Panel）、ＬＣＤ、ＥＬ（Electroluminescence）ディスプレイなどの表示素子と、受信した画像データに基づいて表示素子を駆動するドライバ回路とを備える構成である。
【００５１】
本実施形態では、前側表示部１８は、制御部２３から視野角制御データを受信し、受信した視野角制御データに基づいて視野角を変更する機能を有するものである。なお、後側表示部１９が視野角を変更する機能を有しても良い。
【００５２】
前側撮影部２０および後側撮影部２１は、被写体の撮影を行って映像データを生成するものである。具体的には、撮影部２０・２１は、被写体からの光を電気信号に変換するＣＣＤ（Charge Coupled Device）、ＣＭＯＳ（Complementary Metal-oxide Semiconductor）イメージセンサなどの撮像素子と、撮像素子からの電気信号をＲＧＢ各色のデジタル映像データに変換する映像処理回路とを備える構成が挙げられる。撮影部２０・２１は、生成した映像データを制御部２３に送信する。なお、撮影部２０・２１は、ＡＦ（オートフォーカス）機能を有してもよく、本実施形態では、前側撮影部２０がＡＦ機能を有している。
【００５３】
電源部２２は、携帯電話機１内の各種構成に適当な電力を供給するものである。電源部２２は、例えば、リチウムイオン電池などの充電可能な２次電池、電源回路などによって構成される。
【００５４】
制御部２３は、携帯電話機１内の各種構成を統括的に制御するものである。制御部２３の機能は、例えばＲＡＭやフラッシュメモリなどの記憶装置に記憶されたプログラムをＣＰＵ（Central Processing Unit）が実行することによって実現される。
【００５５】
図１は、携帯電話機１内の上記構成のうち、前側カメラ５３で撮影された撮影画像に基づいて視野角を制御する動作に関わる構成の詳細を示している。
【００５６】
記憶部１７は、前側カメラ５３からの撮影画像と視野角モードとの対応関係を示す撮影画像・視野角対応テーブル５０を記憶している。図６は、撮影画像・視野角対応テーブル５０の一例を表形式で示している。図示のように、撮影画像・視野角対応テーブル５０では、前側カメラ５３からの撮影画像における肌色領域の比率、位置、および個数と、アプリケーションソフトウェア（以下、「アプリケーション」と略称する。）の実行により前側画面４に文字情報を表示するか否かとに基づいて、視野角が設定されている。
【００５７】
ここで、或る画素の色が肌色であるか否かは、該画素の色がＹＵＶ形式（Ｙ：輝度信号、Ｕ（Ｃb）：輝度信号と青色成分との差、Ｖ（Ｃr）：輝度信号と赤色成分との差）で、６４≦Ｙ≦２４０、８６≦Ｕ≦１２６、かつ１３２≦Ｖ≦２１４であるか否かにより判断できる。なお、ＹＵＶ形式の代わりに、ＨＳＶ形式（Ｈ：色相、Ｓ：色彩、Ｖ：明度）を利用することもできる。また、ＲＧＢ形式（Ｒ：赤、Ｇ：緑、Ｂ：青）を利用しても良い。
【００５８】
また、前側画面４に文字情報を表示するアプリケーションの例としては、電子メールソフトウェア、携帯電話機１における各種の設定を行うプログラム、およびＷＷＷ（World Wide Web）ブラウザが挙げられる。一方、その他のアプリケーションの例としては、テレビ電話を実行するプログラム、静止画像または動画像の撮影を実行するプログラム、およびスライドショーを実行するプログラムが挙げられる。
【００５９】
なお、上記肌色領域の比率は、携帯電話機１と、ユーザなどの人間との距離の遠近を把握するために利用されている。そこで、本実施形態では、肌色領域の比率の代わりに、前側撮影部２０のオートフォーカス機能を利用して、携帯電話機１とユーザなどの被写体との撮影距離を検出している。この場合、肌色領域の比率の項目は、上記撮影距離の遠近の項目となり、肌色領域の比率における「多い」、「少ない」、および「ゼロ」が、それぞれ、撮影距離における「近い」、「遠い」、および「無限遠」に対応する。
【００６０】
図１に戻って、前側表示部１８は、上述のように、前側画面４に画像を表示する画像表示部５１と、該表示の視野角を変更する視野角変更部５２とを備える構成である。また、前側撮影部２０は、上述のように、前側カメラ５３とＡＦ部５４とを備える構成である。
【００６１】
制御部２３は、撮影画像取得部４０、肌色領域抽出部４１、撮影距離取得部４２、アプリケーション実行部４３、視野角検索部４４、視野角取得部４５、および視野角制御部４６を備える構成である。
【００６２】
撮影画像取得部４０は、前側カメラ５３が撮影した撮影画像データを前側撮影部２０から取得するものである。撮影画像取得部４０は、取得した撮影画像データを肌色領域抽出部４１に送信する。
【００６３】
肌色領域抽出部４１は、撮影画像取得部４０から受信した撮影画像データに基づいて、撮影画像における肌色領域の抽出を行うものである。また、肌色領域抽出部４１は、抽出した肌色領域から、肌色領域の位置および個数を判定し、判定した肌色領域の位置および個数の情報を視野角検索部４４に送信する。
【００６４】
通常、人の顔は、カメラに向いて撮影すると、撮影画像において円形または楕円形の肌色領域となる。そこで、肌色領域抽出部４１は、撮影画像から円形または楕円形の肌色領域を抽出することが望ましい。
【００６５】
撮影距離取得部４２は、ＡＦ部５４が検出した撮影距離を前側撮影部２０から取得するものである。また、撮影距離取得部４２は、取得した撮影距離に基づいて、撮影距離の遠近を判定し、判定した撮影距離の遠近の情報を視野角検索部４４に送信する。
【００６６】
アプリケーション実行部４３は、電子メールソフトウェア、画像閲覧ソフトウェアなどの各種のアプリケーションを実行するものである。アプリケーション実行部４３は、実行中のアプリケーションが前側画面４に文字情報を表示するアプリケーションであるか否かを判定し、該判定を示すアプリケーション情報を視野角検索部４４に通知する。
【００６７】
視野角検索部４４は、肌色領域抽出部４１が判定した肌色領域の位置および個数と、撮影距離取得部４２が判定した撮影距離の遠近と、アプリケーション実行部４３が判定したアプリケーション情報とに対応する視野角モードを、撮影画像・視野角対応テーブル５０から検索するものである。視野角検索部４４は、検索した視野角モードの情報を視野角指示データとして視野角制御部４６に送信する。
【００６８】
視野角指示取得部４５は、操作部１６から視野角の変更を指示する操作データを受信すると、視野角の状態を変更する視野角指示データを作成するものである。視野角指示取得部４５は、作成した視野角指示データを視野角制御部４６に送信する。
【００６９】
視野角制御部４６は、視野角検索部４４および視野角指示取得部４５から受信した視野角指示データに基づいて、視野角変更部５２を制御するものである。具体的には、視野角制御部４６は、視野角の状態を変更する視野角指示データを受信すると、視野角の状態を変更するように視野角変更部５２を制御する。また、視野角制御部４６は、現在の視野角の状態を保持しており、受信した視野角指示データの視野角の状態が、現在の視野角の状態と異なる場合には、視野角指示データの視野角の状態に変更するように視野角変更部５２を制御する。
【００７０】
なお、視野角の状態は、実際の視野角の角度で表してもよいし、視野角が広い、狭い、中位といった視野角の程度で表してもよい。本実施形態では、視野角の状態は、視野角が広い広視野角と、視野角が狭い狭視野角とで表している。
【００７１】
上記構成の携帯電話機１における処理動作について図８に基づいて説明する。図８は、前側カメラ５３が撮影した撮影画像に基づいて視野角を自動的に変更するように制御部２３が制御する視野角自動変更モードの処理動作を示している。
【００７２】
図８に示されるように、まず、前側カメラ５３が撮影した撮影画像を撮影画像取得部４０が取得し、ＡＦ部５４が検出した撮影距離を撮影距離取得部４２が取得するとともに、実行中のアプリケーションの情報をアプリケーション実行部４３が取得する（ステップＳ１０（以下「Ｓ１０」と略称することがある。他のステップについても同様である。））。次に、取得した撮影画像から、肌色領域抽出部４１が、肌色領域を抽出して、肌色領域の位置および個数を取得する（Ｓ１１）。
【００７３】
次に、取得した肌色領域の位置および個数と、取得した撮影距離の遠近と、取得したアプリケーションの種類とに対応する視野角を、視野角検索部４４が撮影画像・視野角対応テーブル５０から検索する（Ｓ１２）。次に、検索された視野角となるように、視野角制御部４６が視野角変更部５２を制御する（Ｓ１３）。これにより、前側カメラ５３が撮影した撮影画像と、アプリケーションの種類とに応じて視野角を自動的に制御することができる。
【００７４】
そして、操作部１６にて視野角を手動で変更するボタンなど、視野角の自動変更を終了する終了ボタンが押されたか否かを視野角指示取得部４５が判断する（Ｓ１４）。終了ボタンが押されていない場合には、ステップＳ１０に戻って上記動作を繰り返す。一方、終了ボタンが押された場合には、視野角の自動変更処理を終了する。
【００７５】
次に、図６に示される撮影画像・視野角対応テーブル５０において、広視野角モードとするか狭視野角モードとするかの判断基準について図６・図７、図９〜図１１に基づいて説明する。
【００７６】
図９および図１０は、ユーザの位置に応じて、ユーザが前側カメラ５３によりどのように撮影されるかを示すものである。図９（ａ）は、ユーザ７２が、携帯電話機１に近い位置で、携帯電話機１の前側画面４を正面から見ている状態を示しており、同図（ｂ）は、該状態において、携帯電話機１の前側カメラ５３にて撮影する撮影画像７０を示している。一方、図１０（ａ）は、ユーザ７２が、携帯電話機１から離れた位置で、携帯電話機１の前側画面４を斜めから見ている状態を示しており、同図（ｂ）は、該状態において、携帯電話機１の前側カメラ５３にて撮影する撮影画像７０を示している。
【００７７】
また、図１１は、携帯電話機１とユーザ７２との位置関係を示している。具体的には、携帯電話機１に近い位置で、携帯電話機１の前方正面に位置するユーザ７２ａと、携帯電話機１から離れた位置で、携帯電話機１の前方斜めに位置するユーザ７２ｂと、携帯電話機１にから離れた位置で、携帯電話機１の前方正面に位置するユーザ７２ｃとを示している。また、図１１において、破線で挟まれた領域は、狭視野角モードで前側画面４の表示を見ることのできる領域を示しており、一点鎖線で挟まれた領域は、広視野角モードで前側画面４の表示を見ることのできる領域を示している。
【００７８】
図９〜図１１を参照すると、携帯電話機１に近い位置で、前側画面４を正面から見ているユーザ７２ａは、撮影画像７０の中央に大きく写ることが理解できる。また、この場合、ユーザ７２ａは、前側画面４を正面から見ているので、前側画面４の表示を見るには、狭視野角モードでよいことが理解できる。
【００７９】
一方、携帯電話機１から離れた位置で、前側画面４を斜めから見ているユーザ７２ｂは、撮影画像７０の端部に小さく写ることが理解できる。また、この場合、ユーザ７２ｂは、前側画面４を斜めから見ているので、前側画面４の表示を見るには広視野角モードにする必要があることが理解できる。
【００８０】
そして、携帯電話機１から離れた位置で、前側画面４を正面から見ているユーザ７２ｃは、撮影画像７０の中央に小さく写ることが類推できる。また、この場合、ユーザ７２ｃは、前側画面４を正面から見ているので、前側画面４の表示を見るには、狭視野角モードでよいことが理解できる。
【００８１】
以上より、撮影画像７０にユーザ７２が中央に写るか端部に写るかによって、狭視野角モードでよいか広視野角モードにすべきかを判断することができる。また、撮影画像７０に人が写っているか否かは、撮影画像７０の肌色領域で判断することができる。したがって、撮影画像７０の肌色領域に基づいて視野角を変更することにより、ユーザの状況に応じた視野角に自動的に変更することができる。
【００８２】
なお、撮影画像７０に人が写っているか否かは、撮影画像７０から顔画像を抽出することによって判断することもできる。したがって、撮影画像７０の肌色領域の代わりに、撮影画像７０から抽出した顔画像に基づいて視野角を変更することもできる。なお、撮影画像７０から顔画像を抽出する方法としては、種々の方法が知られており、例えば、カラーヒストグラムを利用する方法、テンプレートマッチングを行う方法、ガボール特徴を抽出する方法など種々の方法が挙げられる。
【００８３】
図６に示される撮影画像・視野角対応テーブル５０は、上述の視野角を変更するための判断基準に対して、さらに、人が１人か複数人か、文字情報を表示するアプリケーションを利用するか否かに基づいて、より詳細に視野角を変更するための判断基準である。また、図７（ａ）〜（ｈ）は、図６において、肌色領域７１の比率、位置、および個数の各分類に対応する代表イメージＡ〜Ｈに対応する撮影画像７０の例を示している。
【００８４】
肌色領域７１の比率は、撮影画像７０の全画素領域に対する肌色領域７１の比率であり、携帯電話機１とユーザなどの人間との距離の遠近を把握するために利用される。本実施形態では、肌色領域７１の比率は、「多い」、「少ない」、および「ゼロ」の中から選択される。実施例では、「多い」と「少ない」との境界を示す比率を３０％としている。すなわち、肌色領域７１の比率が３０％以上であれば「多い」とし、０％よりも大きくかつ３０％未満であれば「少ない」としている。
【００８５】
なお、上記境界を示す比率は、携帯電話機１等のように前側画面４を主に縦長で使用する場合と、デジタルカメラ等のように前側画面４を主に横長で使用する場合とで異なっていてもよい。例えば、前側画面４を縦長で使用する場合には、上記境界を示す比率を３４％とし、横長で使用する場合には、上記比率を２６％としてもよい。
【００８６】
また、本実施形態のように、肌色領域７１の比率を取得する代わりに、前側撮影部２０のオートフォーカス機能を利用して、携帯電話機１とユーザ７２などの被写体との撮影距離を検出する場合、肌色領域７１の比率の「多い」、「少ない」、および「ゼロ」が、それぞれ撮影距離の「近い」、「遠い」、および「無限遠」に対応し、実施例では「近い」と「遠い」との境界を示す撮影距離を５５ｃｍとしている。
【００８７】
肌色領域７１の位置は、全画素領域に対して肌色領域７１が中央付近にあるか、端部付近にあるかによって選択される。この選択の基準は、肌色領域７１の比率が多いか少ないかによって異なる。代表イメージＡ・Ｂを示す図７（ａ）・（ｂ）と、代表イメージＣ・Ｄを示す図７（ｃ）・（ｄ）とを比較すると、肌色領域７１の比率が多い場合には、肌色領域７１の輪郭と撮影画像７０の端部とが交わるか否かによって、肌色領域７１が端部付近にあるか中央付近にあるかを選択していることが理解できる。
【００８８】
一方、代表イメージＥ・Ｆを示す図７（ｅ）・（ｆ）と、代表イメージＧ・Ｈを示す図７（ｇ）・（ｈ）とを比較すると、肌色領域の比率が少ない場合には、肌色領域７１の輪郭と撮影画像７０の端部とが、交わるまたは接するか否かによって、肌色領域が端部付近にあるか中央付近にあるかを選択していることが理解できる。
【００８９】
肌色領域７１の数は、前側画面４が１人で見られる状況にあるか、複数人で見られる状況にあるかを判断するためのものである。肌色領域７１の数は、肌色領域７１が円形または楕円形であると考えて、肌色領域７１の輪郭を抽出することにより把握できる。なお、図７（ｂ）に示されるように、人が前後に接近して並ぶことにより、複数の肌色領域７１の一部が重なることも起こりうる。この場合でも、別々の肌色領域７１として抽出されることが望ましい。
【００９０】
次に、肌色領域７１の比率、位置、および個数がどのような場合に、狭視野角または広視野角とするかについて説明する。
【００９１】
まず、文字情報を表示するアプリケーションを実行中の場合について説明する。文字情報には個人的な情報が含まれていることが多いので、表示される文字情報は基本的にユーザが１人で見ると考えられる。そこで、肌色領域７１に関して、個数が１個であり、かつ位置が中央である場合には、ユーザが１人で前側画面４を正面から見ていると考えて狭視野角としている。また、個数が１個であり、かつ位置が端部である場合には、ユーザが１人で前側画面４を斜めから見ていると考えて広視野角としている。
【００９２】
また、肌色領域７１に関して、個数が２個以上であり、かつ位置が中央である場合には、他人に前側画面４を覗かれていると考えて狭視野角としている。また、個数が２個以上であり、かつ位置が端部である場合には、他人に前側画面４を覗かれる状況にあり、ユーザ１人で前側画面４を正面から見ることを促すために狭視野角としている。すなわち、狭視野角とすることにより、斜め方向から見ていたユーザは、前側画面４の表示を見ることができなくなるので、前側画面４の表示が見えるように携帯電話機１を動かすことになる。これにより、他人の覗き見を防止できる。また、肌色領域７１が無い場合には、前側画面４が見える領域に人が存在しないと考えて狭視野角としている。
【００９３】
次に、その他の情報を表示するアプリケーションを実行中の場合について説明する。撮影画像など、文字情報以外の情報が表示される場合、表示される情報は他人に見られてもよいものが多いと考えられる。そこで、肌色領域７１に関して、個数が１個である場合には、ユーザが１人で見ていると考えられるので、文字情報を表示するアプリケーションを実行中の場合と同様の視野角としている。
【００９４】
また、肌色領域７１に関して、個数が２個以上である場合には、複数人で前側画面４を見ていたりすると考えて広視野角としている。また、肌色領域７１が無い場合には、背景などを撮影していると考えて広視野角としている。
【００９５】
なお、図６に示される撮影画像・視野角対応テーブル５０において、視野角の設定は、あくまでも例示であり、図示の視野角の設定とは異なる設定とすることもできる。また、文字情報を表示するアプリケーション以外にも、撮影画像を表示するアプリケーション、ＴＶ映像を表示するアプリケーション、音楽を出力し、音楽情報を表示するアプリケーションなど、視野角を設定するアプリケーションの種類を増やすこともできる。
【００９６】
〔実施の形態２〕
次に、本発明の他の実施形態について、図１２〜図１４を参照しつつ説明する。本実施形態の携帯電話機は、図１に示される携帯電話機１に比べて、操作部１６における操作が設定期間行われないときに所定の表示制御が実行される場合において、前側カメラ５３が撮影した撮影画像に基づいて、上記設定期間を変更する点が異なり、その他の構成は同様である。なお、上記実施形態で説明した構成と同様の機能を有する構成には同一の符号を付して、その説明を省略する。
【００９７】
ここで、操作部１６における操作が設定期間行われないときに実行される表示制御の例としては、画面の焼き付きを防止するためのスクリーンセーバや、画像の表示を停止したり、ＬＣＤのバックライトを消灯したり、ハードディスクドライブ（ＨＤＤ）の動作を停止したりして、消費電力を削減する省電力プログラムが挙げられる。
【００９８】
図１２は、本実施形態の携帯電話機１において、前側カメラ５３で撮影された撮影画像に基づいて設定期間を変更する動作に関わる構成の詳細を示している。図示のように、記憶部１７は、前側カメラ５３からの撮影画像と、設定期間との対応関係を示す撮影画像・設定期間対応テーブル８０を記憶している。
【００９９】
図１３は、撮影画像・設定期間対応テーブル８０の一例を表形式で示している。図示のように、撮影画像・設定期間対応テーブル８０では、前側カメラ５３からの撮影画像における肌色領域７１の比率に基づいて、設定期間が設定されている。
【０１００】
具体的には、肌色領域７１の比率が３０％以上であれば、人が携帯電話機１を近づけて前側画面４を注視している状態であると考えて、設定期間を設定しないか或いは無限大に設定している。これにより、ユーザが携帯電話機１を近づけて前側画面４を見ているときに、スクリーンセーバが起動したり、ＬＣＤのバックライトが消灯したりすることを防止でき、ユーザに煩わしさを与えることがない。
【０１０１】
一方、肌色領域７１の比率が１０％未満である場合には、前側画面４が見える領域に人が存在しないと考えて、短い期間（数秒程度）を設定期間として設定している。これにより、ユーザが携帯電話機１から離れたときに、直ちにスクリーンセーバが起動したり、ＬＣＤのバックライトが消灯したりするので、画面の焼付け防止や消費電力の削減を効果的に行うことができる。
【０１０２】
なお、肌色領域７１の比率が１０％以上〜３０％未満である場合には、人が携帯電話機１から離れて位置していると考えられ、人が前側画面４を見ているか否かが不明である。人が前側画面４を見ていないのに設定期間を設定しないか或いは無限大に設定する場合、スクリーンセーバが起動せずに画像を表示し続けたり、ＬＣＤのバックライトが点灯し続けたりするので不適当である。一方、人が前側画面４を見ているのに設定期間を短くした場合、スクリーンセーバが直ちに起動したり、ＬＣＤのバックライトが直ちに消灯したりするので不適当である。
【０１０３】
そこで、肌色領域７１の比率が１０％以上〜３０％未満である場合には、設定期間として、設定しないか或いは無限大に設定するときと、短い期間を設定するときとの中間である長い期間（数分〜数十分）を設定している。
【０１０４】
図１２に戻って、制御部２３は、撮影画像取得部４０、肌色領域抽出部４１、設定期間検索部７４、操作指示取得部７５、および表示制御部７６を備える構成である。
【０１０５】
設定期間検索部７４は、肌色領域抽出部４１が判定した肌色領域の比率に対応する設定期間を、撮影画像・設定期間対応テーブル８０から検索するものである。設定期間検索部７４は、検索した設定期間の情報を表示制御部７６に送信する。
【０１０６】
操作指示取得部７５は、操作部１６から何らかの操作を指示する操作指示データを取得し、取得した操作指示データに基づいて、制御部２３内の各ブロックに指示するものである。本実施形態では、操作指示取得部７５は、任意の操作指示データを取得すると、操作部１６が操作されたことを示す操作検知データを作成して表示制御部７６に送信する。なお、操作指示取得部７５は、取得した操作指示データをそのまま表示制御部７６に送信してもよい。
【０１０７】
表示制御部７６は、操作指示取得部７５からの操作検知データを、設定期間検索部７４からの設定期間受け取らなかった場合には、スクリーンセーバの起動、画像表示の停止、バックライトの消灯など、設定期間内に操作されなかった場合に実行される表示制御が実行して、画像表示部５１を制御する。
【０１０８】
上記構成の携帯電話機１における処理動作について図１４に基づいて説明する。図１４は、操作されないことによる表示制御に関する設定期間を、前側カメラ５３が撮影した撮影画像に基づいて自動的に変更するように制御部２３が制御する処理動作を示している。
【０１０９】
図１４に示されるように、まず、前側カメラ５３が撮影した撮影画像を撮影画像取得部４０が取得する（Ｓ２０）。次に、取得した撮影画像から、肌色領域抽出部４１が、肌色領域を抽出して、肌色領域の比率を取得する（Ｓ２１）。
【０１１０】
次に、取得した肌色領域の比率に対応する設定期間を、設定期間検索部７４が撮影画像・設定期間対応テーブル８０から検索する（Ｓ２２）。次に、検索された設定期間、操作部１６が操作されない場合には、表示制御部７６は、画像表示部５１に対し、スクリーンセーバの起動、画像表示の停止、バックライトの消灯など、所定の表示制御を行う（Ｓ２３）。これにより、前側カメラ５３が撮影した撮影画像に応じて、操作されないときに行われる前側表示部１８の表示制御に関する設定期間を自動的に変更することができる。
【０１１１】
そして、操作部１６にて上記設定期間の自動変更を終了する終了ボタンが押されたか否かを操作指示取得部７５が判断する（Ｓ２４）。終了ボタンが押されていない場合には、ステップＳ２０に戻って上記動作を繰り返す。一方、終了ボタンが押された場合には、上記設定期間の自動変更処理を終了する。
【０１１２】
なお、本実施形態では、撮影画像７０における肌色領域の比率を利用しているが、図１に示されるようなＡＦ部５４を用いても良い。この場合、図１に示される撮影距離取得部４２が、ＡＦ部５４から撮影距離の情報を取得して、設定期間検索部７４に送信し、かつ、撮影距離と設定期間との対応関係を示すテーブルを、撮影画像・設定期間対応テーブル８０の代わりに記憶部１７に記憶すればよい。さらに、撮影画像取得部４０および肌色領域抽出部４１を省略できる。すなわち、前側撮影部２１にてＡＦ部５４のみ機能させればよく、前側カメラ５３が撮影を行って撮影画像を制御部２３に送信する必要はない。
【０１１３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１４】
例えば、上記実施形態では、携帯電話機１に本発明を適用した場合について説明している。しかしながら、本発明はそれに留まるものではなく、撮影方向と表示方向とを同じにすることができる撮影機能および表示機能を有するものであれば、ＰＨＳ（Personal Handy-phone System）、ＰＤＡ、モバイルＰＣ（Personal Computer）、ポータブルＤＶＤ（Digital Versatile Disk）などの任意の携帯用情報機器に適用することができる。或いは、据置き型のディスプレイに適用してもよい。
【０１１５】
また、上記実施形態では、視野角のモードが広視野角モードおよび狭視野角モードの２種類のみであるが、より多くの視野角のモードを設けることもできる。例えば、視野角が広くもなく狭くもない中位の視野角モードを設けても良い。この視野角モードは、ユーザを含む２・３人で表示画面を見る場合に好適である。
【０１１６】
また、携帯電話機１の機種によっては、後側カメラ９が背面側から前面側に向きを変えることができるものがある。この場合、前側カメラ５３の代わりに後側カメラ９を利用することができるので、前側カメラ５３を新たに設ける必要が無い。
【０１１７】
また、携帯電話機１の各ブロック、特に制御部２３は、ハードウェアロジックによって構成してもよいし、次のようにＣＰＵを用いてソフトウェアによって実現してもよい。
【０１１８】
すなわち、携帯電話機１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、上記携帯電話機１に供給し、そのコンピュータ（またはＣＰＵやＭＰＵ）が記録媒体に記録されているプログラムコードを読み出し実行することによっても、達成可能である。
【０１１９】
上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２０】
また、携帯電話機１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【産業上の利用可能性】
【０１２１】
以上のように、本発明に係る撮影機能付表示装置は、ユーザが表示画面の表示を見ている状況に応じて表示制御を行うので、携帯型に限らず、撮影機能を有する任意の表示装置に対して適用することができる。
【図面の簡単な説明】
【０１２２】
【図１】本発明の一実施形態である携帯電話機の要部の概略構成を示すブロック図である。
【図２】上記携帯電話機を開いた状態での外観を示す図であり、同図（ａ）は正面図であり、同図（ｂ）は背面図である。
【図３】上記携帯電話機が広視野角モードに設定されているときに、正面あるいは斜め方向から視認される表示画面を示す図である。
【図４】上記携帯電話機が狭視野角モードに設定されているときに、正面あるいは斜め方向から視認される表示画面を示す図である。
【図５】上記携帯電話機の概略構成を示すブロック図である。
【図６】上記携帯電話機の記憶部に記憶される撮影画像・視野角対応テーブルの一例を表形式で示す図である。
【図７】同図（ａ）〜（ｈ）は、上記撮影画像・視野角対応テーブルにおける肌色領域の内容のそれぞれに対応する代表的な撮影画像を示す図である。
【図８】上記携帯電話機の制御部にて実行される視野角の自動変更処理の流れを示すフローチャートである。
【図９】同図（ａ）は、ユーザが、上記携帯電話機に近い位置で、上記携帯電話機の前側画面を正面から見ている状態を示す概要図であり、同図（ｂ）は、該状態において、上記携帯電話機の前側カメラにて撮影する撮影画像を示す図である。
【図１０】同図（ａ）は、ユーザが、上記携帯電話機から離れた位置で、上記携帯電話機の前側画面を斜めから見ている状態を示す概要図であり、同図（ｂ）は、該状態において、上記携帯電話機の前側カメラにて撮影する撮影画像を示す図である。
【図１１】上記携帯電話機とユーザとの位置関係を示す平面図である。
【図１２】本発明の他の実施形態である携帯電話機の要部の概略構成を示すブロック図である。
【図１３】上記携帯電話機の記憶部に記憶される撮影画像・無操作期間対応テーブルの一例を表形式で示す図である。
【図１４】上記携帯電話機の制御部にて実行される無操作による表示制御処理の流れを示すフローチャートである。
【符号の説明】
【０１２３】
１    携帯電話機（撮影機能付表示装置）
４    前側画面（表示手段）
１６    操作部（操作手段）
１８    前側表示部（表示手段）
２０    前側撮影部（撮影手段）
２３    制御部（表示制御手段、設定期間変更手段）
４１    肌色領域抽出部
４２    撮影距離取得部
５０    撮影画像・視野角対応テーブル
５３    前側カメラ（撮影手段）
５４    ＡＦ部
６０    視野角情報
８０    撮影画像・無操作設定期間対応テーブル
【図１】
2006215116.tif 000003
【図２】
2006215116.tif 000004
【図３】
2006215116.tif 000005
【図４】
2006215116.tif 000006
【図５】
2006215116.tif 000007
【図６】
2006215116.tif 000008
【図７】
2006215116.tif 000009
【図８】
2006215116.tif 000010
【図９】
2006215116.tif 000011
【図１０】
2006215116.tif 000012
【図１１】
2006215116.tif 000013
【図１２】
2006215116.tif 000014
【図１３】
2006215116.tif 000015
【図１４】
2006215116.tif 000016